(57)【特許請求の範囲】
【請求項１】
複数チャンネルの映像を個々の子画面に縮小し配置した多画面映像を表示すると共に各映像を選択可能に表示する選択画面と、選択された単一チャンネルの映像をフル画面表示する映像画面と、カーソルとを重畳表示する映像選択装置であって、
前記多画面映像から、カーソル位置を基準に所定範囲に切り出した部分映像を生成する部分映像生成手段と、
生成した前記部分映像を前記カーソル位置を基準に前記映像画面に重畳表示する表示手段と、
前記カーソル位置に表示される前記選択画面上の映像が選択されたことに基づいて、当該映像を前記映像画面に表示されている映像に換えて表示する映像切換手段とを備えたことを特徴とする映像選択装置。
【請求項２】
前記部分映像生成手段は、操作手段からの変更指示に基づき、前記カーソル位置を基準とする前記選択画面の部分映像の切り出し範囲を変更することを特徴とする請求項１記載の映像選択装置。
【請求項３】
前記表示手段は、前記映像切換手段による映像切換え表示に基づき、前記部分映像を重畳表示した状態で、前記映像画面に前記切り換え後の映像を表示することを特徴とする請求項１または請求項２記載の映像選択装置。
【発明の詳細な説明】
【０００１】
本発明は、表示画面全体にフル画面映像を表示するフル画面表示機能と多画面映像を表示する多画面表示機能とを有する映像選択装置に関する。
【０００２】
従来の映像選択装置の一例としてテレビジョン受像機に設けられた選局装置がある。この選局装置によれば、複数のチャンネルの子画面群を同時表示（多画面表示）することにより、視聴者が見たい番組を一覧的に目視確認できるようになっている。
【０００３】
このような選局装置を備えたテレビジョン受像機の従来例として、特開平９−２３３８８号公報に開示されたテレビジョン受像機がある。このテレビジョン受像機は、視聴者が容易に選局を行えるように、多画面表示モードにおいて子画面群上にカーソルを重畳表示する手段と、チャンネル決定信号の送出によりカーソルが指示している任意の１つの子画面に対応した受信チャンネルを選局する手段と、選局確定後に選局受信チャンネルの子画面の画像をフル画面に切り替える手段とを有する選局装置を備えている。
【０００４】
【発明が解決しようとする課題】
しかしながら、従来の選局装置を備えたテレビジョン受像機においては、複数チャンネルの子画面群を、多画面表示モードにて一度に表示している。そのため、例えば多画面表示モードにおいて、縦方向に４画面、横方向に４画面の計１６画面の表示を行った場合には、一度に表示される映像情報量が多くなり、視聴者のチャンネル決定を行う判断を困難なものにしているといった問題があった。
【０００５】
本発明は係る問題点を解決すべく創案されたもので、その目的は、視聴者に対する映像情報を減少させることにより、例えばチャンネル決定を容易にすることができる映像選択装置を提供することにある。
【０００６】
本発明の映像選択装置は、複数チャンネルの映像を個々の子画面に縮小し配置した多画面映像を表示すると共に各映像を選択可能に表示する選択画面と、選択された単一チャンネルの映像をフル画面表示する映像画面と、カーソルとを重畳表示する映像選択装置であって、前記多画面映像から、カーソル位置を基準に所定範囲に切り出した部分映像を生成する部分映像生成手段と、生成した前記部分映像を前記カーソル位置を基準に前記映像画面に重畳表示する表示手段と、前記カーソル位置に表示される前記選択画面上の映像が選択されたことに基づいて、当該映像を前記映像画面に表示されている映像に換えて表示する映像切換手段とを備えたことを特徴とする。
【０００７】
このような特徴を有する本発明によれば、選択画面上の映像に基づき映像選択が行われるので、視聴者に対する映像情報を減少させることができる。
【０００８】
また、本発明の映像選択装置によれば、前記部分映像生成手段は、操作手段からの変更指示に基づき、前記カーソル位置を基準とする前記選択画面の部分映像の切り出し範囲を変更することを特徴とする。
【０００９】
このような特徴を有する本発明によれば、カーソル位置を基準とする切り出し範囲の大きさを、部分映像表示を実行しつつ、変更することができる。
【００１０】
また、本発明の映像選択装置によれば、前記表示手段は、前記映像切換手段による映像切換え表示に基づき、前記部分映像を重畳表示した状態で、前記映像画面に前記切り換え後の映像を表示する構成としてもよい。
【００１４】
以下、本発明の映像選択装置の実施の形態について、図面を参照しつつ説明する。
【００１５】
図１は、本発明の映像選択装置を選局装置に適用した場合の一実施の形態を示す説明図であり、図２は、図１に示す選局装置によって形成された選局画面の一例を示す説明図、図３は、図１に示す選局装置によって形成された選局画面の他の例を示す説明図である。
【００１６】
本実施の形態の選局装置は、第１電子チューナ１、第２電子チューナ２、選局部３、多画面生成部４、多画面表示範囲制御部５、操作部６、カーソル座標設定部７、カーソル信号生成部８、ミキシング部９、表示部１０、およびタイマー部３１から構成されている。ただし、タイマー部３１については、後述する実施例２において説明する。
【００１７】
さらに、操作部６は、カーソルを移動するための移動キー６ａと、チャンネルを決定するための決定キー６ｂと、通常表示画面（単一チャンネルのフル画像表示）から、選局を行うための画面表示に切り替える選局モード切替キー６ｃと、カーソルの位置を示す座標を基準位置とする任意の大きさの範囲（部分表示範囲）のサイズ変更を行う表示サイズ変更キー６ｄとを備えている。
【００１８】
第１電子チューナ１は、フル画面表示を行うための映像受信を行い、選局部３により指定されたチャンネルの映像を受信する。
【００１９】
第２電子チューナ２は、複数チャンネルの映像が個々の子画面に縮小表示されている多画面映像の表示を行うための映像受信を行い、受信可能チャンネルの映像を順次受信し、多画面生成部４に映像情報を送る。
【００２０】
多画面生成部４は、第２電子チューナ２から送られる映像情報をもとに、多画面映像（選択画面）１１（図２（ａ）参照）を生成する。
【００２１】
多画面表示範囲制御部（部分映像生成手段）５は、多画面生成部４から送られてきた多画面映像１１の情報と、カーソル座標設定部７から送られてきた現在のカーソル位置を示す座標値（カーソル座標値）とに基づき、カーソル座標を基準とする任意の大きさの範囲に切り出し、部分表示範囲に表示する多画面部分表示映像（選択画面の部分映像）１３（図２（ｃ）参照）を生成する。
【００２２】
カーソル信号生成部８は、カーソル座標設定部７から送られてきた現在のカーソル座標値に基づき、表示を行うためのカーソル信号を生成する。
【００２３】
ミキシング部９は、第１電子チューナ１から送られてきた単一チャンネルのフル画面映像１２（図２（ｂ）参照）と、多画面表示範囲制御部５から送られてきた多画面部分表示映像１３と、カーソル信号生成部８から送られてきたカーソル信号とを合成し、表示部１０に映像を送る。このようにして、表示部１０では、フル画面映像（映像画面）１２上に多画面部分表示映像１３を表示した状態になっている重畳映像１４（図２（ｃ）参照）が選局画面として表示される。
【００２４】
なお、図２（ａ）に示す多画面映像１１は、縦方向に４画面、横方向に４画面配置されたチャンネル１からチャンネル１６まで（ｃｈ１，ｃｈ２・・・ｃｈ１６）の映像からなり、図２（ｂ）に示すフル画面映像１２は、ｃｈ２の映像からからなり、図２（ｃ）に示す多画面部分表示映像１３は、中心となるｃｈ６の映像と、そのｃｈ６の映像の周辺部に並べられたｃｈ１，ｃｈ２，ｃｈ３，ｃｈ５，ｃｈ７，ｃｈ９，ｃｈ１０，ｃｈ１１の映像の一部分とからなる。
【００２５】
また、操作部６の移動キー６a が操作されることにより、カーソル座標設定部７のカーソル座標値もそれに合わせて変更される。カーソル座標設定部７により設定されたカーソル座標値は、選局部３、多画面表示範囲制御部５、カーソル信号生成部８に送られる。多画面表示範囲制御部５において生成された多画面部分表示映像１３は、絶えず更新生成され、カーソル移動に追随して多画面部分表示領域も移動する。
【００２６】
また、操作部６の決定キー６ｂが押下されることにより、カーソルが示すチャンネルが選局部３において設定される。例えば、カーソル１５がｃｈ６上に位置しているときに決定キー６ｂが押下されると、表示部１０の表示は、図２（ｃ）に示している状態から図２（ｄ）に示している状態に変更される。
【００２７】
なお、図２（ｄ）に示すフル画面映像１２はｃｈ６の映像からなり、図２（ｄ）に示す多画面部分表示映像１３は、中心となるｃｈ６の映像と、このｃｈ６の映像の周辺部に並べられたｃｈ１，ｃｈ２，ｃｈ３，ｃｈ５，ｃｈ７，ｃｈ９，ｃｈ１０，ｃｈ１１の映像の一部分とからなる。
【００２８】
また、操作部６の表示サイズ変更キー６ｄは、部分表示範囲のサイズ変更のために使用される。表示サイズ変更キー６ｄが押下されているという情報はカーソル座標設定部７を経由して多画面表示範囲制御部５に送られる。この表示サイズ変更キー６ｄが押下されている間は、移動キー６ａはカーソル移動として使用されず、多画面表示範囲制御部５にて部分表示範囲のサイズ変更に使用される。このような操作を行うことにより、部分表示範囲のサイズ変更ができ、例えば、多画面部分表示映像１３が図３（ａ）に示す状態から図３（ｂ）に示す状態に拡大変更される。
【００２９】
なお、図３に示す重畳映像１４は、ｃｈ２の映像からなるフル画面映像１２上に多画面部分表示映像１３を表示した状態になっている。また、図３（ａ）に示す多画面部分表示映像１３は、中心となるｃｈ６の映像と、このｃｈ６の映像の周辺部に並べられたｃｈ１，ｃｈ２，ｃｈ３，ｃｈ４，ｃｈ５，ｃｈ７，ｃｈ８，ｃｈ９，ｃｈ１０の映像の一部からなり、図３（ｂ）に示す多画面部分表示映像１３は、中心となるｃｈ６の映像と、このｃｈ６の映像の周辺部に並べられたｃｈ２，ｃｈ５，ｃｈ７，ｃｈ１０の映像と、ｃｈ１，ｃｈ３，ｃｈ４，ｃｈ８，ｃｈ９，ｃｈ１１，ｃｈ１２，ｃｈ１３，ｃｈ１４，ｃｈ１５の映像の一部分からなる。すなわち、図３（ｂ）では、多画面部分表示映像１３に表示されない子画面は実質ｃｈ１６の１画面のみとなる。
【００３０】
以上のような構成を有することにより、操作性のよい選局装置を得ることができる。
【００３１】
次に、上記構成の選局装置における選局動作の実施例について、図４および図５に示すフローチャートを参照して説明する。ただし、図４は実施例１のフローチャート、図５は実施例２のフローチャートである。
【００３２】
［実施例１］
選局装置の初期状態（電源が投入された直後の状態）では、表示部１０には、電源遮断時に選局されていたチャンネル（例えば、ｃｈ２）がフル画面表示モード（図２（ｂ）参照）で表示される（ステップＳ１）。
【００３３】
この状態において、選局モード切替キー６ｃが押下された場合（ステップＳ２でＹＥＳと判断された場合）、表示部１０の表示画面は重畳映像表示モード（図２（ｃ）参照）に切り替わり、重畳映像１４が表示される（ステップＳ３）。
【００３４】
この後、移動キー６ａが押下されると（ステップＳ４でＹＥＳと判断されると）、次に、表示サイズ変更キー６ｄが押下されているか否かを判断し（ステップＳ５）、押下されていなければ（ステップＳ５でＮＯと判断されれば）、カーソル１５を移動させる（ステップＳ６）。
【００３５】
一方、表示サイズ変更キー６ｄが押下されていれば（ステップＳ５でＹＥＳと判断されれば）、部分表示範囲のサイズ変更を行う（ステップＳ７）。この後、ステップＳ３に戻って、重畳映像１４の表示を更新する。例えば、図３（ａ）に示す多画面部分表示映像１３から同図（ｂ）に示す多画面部分表示映像１３にサイズ変更を行う。
【００３６】
一方、ステップＳ４で、移動キー６ａが押下されていないと判断（ＮＯと判断）された場合には、次に、決定キー６ｂが押下されたか否かを判断し（ステップＳ８）、押下されている場合（ステップＳ８でＹＥＳと判断された場合）には、第１電子チューナ１のチャンネルを、現在のカーソル位置に対応するチャンネルに切り替える（ステップＳ９）。
【００３７】
その後、選局モード切替キー６ｃが押下されたか否かを判断し（ステップＳ１０）、押下されていなければ（ステップＳ１０でＮＯと判断されれば）、ステップＳ３に戻って、それまでの重畳映像１４をそのまま表示する。一方、押下された場合（ステップＳ１０でＹＥＳと判断された場合）には、ステップＳ１に戻って、切り替えられたチャンネルをフル画面表示モードで表示する。
【００３８】
［実施例２］
上記実施例１の選局動作では、決定キー６ｂが押下された場合、その時点のカーソル位置に応じたチャンネルへ切り替えるようにしているが、本実施例２では、カーソル１５を移動させた後、所定時間静止させておくと、所定時間経過時点のカーソル位置に応じたチャンネルへ自動的に切り替えるようにしている。なお、本実施例２を実現するためには、図１に示す選局装置の構成において破線で示すように、所定時間を計測するタイマー部３１を設けておく必要がある。
【００３９】
すなわち、選局装置の初期状態（電源が投入された直後の状態）では、表示部１０には、電源遮断時に選局されていたチャンネル（例えば、ｃｈ２）がフル画面表示モード（図２（ｂ）参照）で表示される（ステップＳ１１）。
【００４０】
この状態において、選局モード切替キー６ｃが押下されると（ステップＳ１２でＹＥＳと判断されると）、タイマー部３１がリセットされて所定時間の計測を開始する（ステップＳ１３）。また、これと同時に、表示部１０の表示画面は重畳映像表示モード（図２（ｃ）参照）に切り替わり、重畳映像１４が表示される（ステップＳ１４）。
【００４１】
この後、移動キー６ａが押下されると（ステップＳ１５でＹＥＳと判断されると）、次に、表示サイズ変更キー６ｄが押下されているか否かを判断し（ステップＳ１６）、押下されていなければ（ステップＳ１６でＮＯと判断されれば）、カーソル１５を移動させる（ステップＳ１７）。
【００４２】
一方、表示サイズ変更キー６ｄが押下されていれば（ステップＳ１６でＹＥＳと判断されれば）、部分表示範囲のサイズ変更を行う（ステップＳ１８）。この後、ステップＳ１３に戻って、重畳映像１４の表示を更新する。例えば、図３（ａ）に示す多画面部分表示映像１３から同図（ｂ）に示す多画面部分表示映像１３にサイズ変更を行う。
【００４３】
一方、ステップＳ１５で、移動キー６ａが押下されていないと判断（ＮＯと判断）された場合には、次に、タイマー部３１の計時値が所定値（０秒〜３秒程度の値が望ましい）を超えたか否かを判断し（ステップＳ１９）、所定値を超えてなければ（ステップＳ１９でＮＯと判断されれば）、ステップＳ２２に移行する。
【００４４】
一方、所定値を超えていれば（ステップＳ１９でＹＥＳと判断されれば）、第１電子チューナ１のチャンネルを、現在のカーソル位置に対応するチャンネルに切り替え（ステップＳ２０）、タイマー部３１の計時値をリセットするとともに、計時を停止する（ステップＳ２１）。
【００４５】
その後、選局モード切替キー６ｃが押下されたか否かを判断し（ステップＳ２２）、押下されていなければ（ステップＳ２２でＮＯと判断されれば）、ステップＳ１４に戻って、重畳映像１４の表示を更新する。一方、押下された場合（ステップＳ２２でＹＥＳと判断された場合）には、ステップＳ１１に戻って、切り替えられたチャンネルをフル画面表示モードで表示する。
【００４６】
なお、上記実施の形態では、このような選局装置をテレビジョン受像機の選局装置として適用した場合について説明しているが、このようなテレビジョン受像機の選局装置としてのみならず、パーソナルコンピュータのオペレーションシステムの一つであるウィンドウシステムとして応用することもできる。
【００４７】
次に、本発明の映像選択装置をパーソナルコンピュータに適用した場合の他の実施の形態について図面を参照しつつ説明する。
【００４８】
図６は、本発明の映像選択装置の他の実施の形態であるパーソナルコンピュータのウィンドウシステムにて生成された画像の一例を示す説明図である。
【００４９】
ここでは、映像選択装置は、パーソナルコンピュータのオペレーションシステムの一つであるウィンドウシステムとして利用されている。
【００５０】
すなわち、上記実施の形態の第１電子チューナ１にて受信される単一チャンネルの受信映像（フル画面映像１２）が、本実施の形態ではパーソナルコンピュータのウィンドウシステム上で起動しているワープロソフトや表計算ソフト等のアプリケーションソフト（図６（ｂ）に示すワープロ画像２２）に相当し、上記実施の形態の第２電子チューナ２にて受信され、多画面生成部４にて生成される多画面映像１１が、本実施の形態ではウィンドウシステムの背景および背景上に配置されるアイコン（図６（ａ）に示す背景映像２０およびアイコン２１）に相当している。これにより、図６（ｃ）に示すアイコン選択画面２３を生成することができる。
【００５１】
このときの重畳映像２４は、ワープロ画像２２と、背景映像およびアイコンを任意の大きさの範囲に切り出した部分表示映像であるアイコン選択画面２３とかなり、アイコン選択画面２３がワープロ画像２２上に表示される。
【００５２】
本発明の映像選択装置をパーソナルコンピュータのオペレーションシステムの一つであるウィンドウシステムとして利用することにより、このようなアイコン選択画面２３を生成することができるので、パーソナルコンピュータのオペレータはアプリケーションソフトを閉じることなく、カーソル２５を操作して、背後に隠れているアイコンを選択および実行するこができる。
【００５３】
なお、上記各実施の形態では、部分表示映像１３やアイコン選択画面２３の表示範囲を、カーソル１５，２５の位置（基準位置）を中心とした任意の大きさの範囲として説明しているが、カーソル１５，２５の位置が必ずしも部分表示映像１３やアイコン選択画面２３の中心に位置している必要はない。例えば、部分表示映像１３やアイコン選択画面２３の左上部分を基準位置とし、この基準位置にカーソル１５，２５が位置するように構成してもよい。
【００５４】
また、本明細書においては、表示装置として、テレビジョン受像機とパーソナルコンピュータとを示したが、これに限定されるものではなく、他の一般的な表示機能を有する装置においても本発明の映像選択装置を応用できる。
【００５５】
すなわち、請求項１に記載の「単一チャンネルの映像」とは、テレビジョン受像機による単一チャンネルの映像のみならず、パーソナルコンピュータのウィンドウシステム上で起動しているワープロソフトや表計算ソフト等のアプリケーションソフトなども含む広い概念を意味し、また、「複数チャンネルの映像を個々の子画面に縮小し配置した多画面映像」とは、テレビジョン受像機による各チャンネルの子画面のみならず、ウィンドウシステムの背景上に配置される各アイコンなどを含む広い概念を意味している。
【００５６】
本発明の映像選択装置によれば、部分表示映像に基づき映像選択が行われるので、視聴者に対する映像情報を減少させることができ、チャンネル決定を容易にすることができる。
【００５９】
また、本発明の映像選択装置によれば、部分映像生成手段は、操作手段からの変更指示に基づき、カーソル位置を基準とする選択画面の部分映像の切り出し範囲を変更する構成としたので、視聴者に一度に提供する映像情報量を任意に調整することができる。
【図面の簡単な説明】
【図１】  本発明の映像選択装置を選局装置に適用した場合の一実施の形態を示す説明図である。
【図２】  図１に示す選局装置によって形成された選局画面の一例を示す説明図である。
【図３】  図１に示す選局装置によって形成された選局画面の他の例を示す説明図である。
【図４】  図１に示す選局装置における選局動作の実施例１を示すフローチャートである。
【図５】  図１に示す選局装置における選局動作の実施例２を示すフローチャートである。
【図６】  本発明の映像選択装置の他の実施の形態であるパーソナルコンピュータのウィンドウシステムにて生成された画像の一例を示す説明図である。
【符号の説明】
１  第１電子チューナ
２  第２電子チューナ
３  選局部
４  多画面生成部
５  多画面表示範囲制御部
６  操作部
７  カーソル座標設定部
８  カーソル信号生成部
９  ミキシング部
１０  表示部
３１  タイマー部
【図１】
0004761661.tif 000002
【図２】
0004761661.tif 000003
【図３】
0004761661.tif 000004
【図４】
0004761661.tif 000005
【図５】
0004761661.tif 000006
【図６】
0004761661.tif 000007